(57)【要約】【課題】視る者の意に沿った画面数の表示を行うプログラム、表示装置及びテレビジョン受信機を提供する。【解決手段】テレビジョン受信機２は、通信装置から受信した画像情報及び画像の縦方向及び横方向の画素数を示す画素情報に従って、画像処理部２３３が画像から前記画像の一部を切り出す。また、判定部２３２が、画素情報における縦方向及び横方向の画素数の多少を判定し、縦方向の画素数が多いと判定した場合には、表示決定部２３４が、切り出した画像と他の画像とを並置した２画面を表示部２２に表示させる。判定部２３２が、縦方向の画素数が多くないと判定した場合には、表示部２２に表示する画面の数を指定する信号を受け付け、受け付けた該信号に従い、切り出した画像と他の画像とを並置した２画面、又は切り出した画像の１画面を表示部２２に表示させる。【選択図】図４
2014071163.tif 000002
【特許請求の範囲】
【請求項１】
複数の画素からなる矩形の画像を表示部に表示させる処理をコンピュータに実行させるためのプログラムにおいて、
前記画像の一辺方向及び該一方向と直角をなす他辺方向の画素数を示す情報に従って、前記画像から前記画像の一部を切り出し、
前記一辺方向及び他辺方向の画素数の多少を判定し、
判定した結果、前記一辺方向の画素数が多い場合には、切り出した画像と他の画像とを並置した２画面を前記表示部に表示させ、
前記他辺方向の画素数が多い場合には、前記表示部に表示する画面の数を指定する信号を受け付け、受け付けた該信号に従い、切り出した画像と他の画像とを並置した２画面、又は切り出した画像の１画面を前記表示部に表示させる
処理をコンピュータに実行させることを特徴とするプログラム。
【請求項２】
２画面で表示を行う場合に、画面の入替を指示する入替信号を受け付け、受け付けた該入替信号に従い、前記切り出した画像と他の画像との表示位置を入れ替える
処理をコンピュータに実行させることを特徴とする請求項１に記載のプログラム。
【請求項３】
複数の画素からなり、縦横方向が定められた矩形の画像を表示部に表示させる表示装置において、
一辺方向及び該一方向と直角をなす他辺方向の画素数を示す情報に従って、前記画像から前記画像の一部を切り出す画像処理部と、
前記一辺方向及び他辺方向の画素数の多少を判定する判定部と、
前記表示部に表示する画面の数を指定する信号を受信する受信部と、
前記判定部が判定した結果、前記一辺方向の画素数が多い場合には、前記画像処理部が切り出した画像と他の画像とを並置した２画面を前記表示部に表示させ、前記他辺方向の画素数が多い場合には、前記受信部が受け付けた前記信号に従い、前記画像処理部が切り出した画像と他の画像とを並置した２画面、又は前記画像処理部が切り出した画像の１画面を前記表示部に表示させる表示決定部と
を備えることを特徴とする表示装置。
【請求項４】
請求項３に記載の表示装置と、
テレビジョン放送を受信するチューナとを備え、
該チューナにて受信したテレビジョン放送に基づいた前記他の画像を、前記表示部に表示するようにしてある
ことを特徴とするテレビジョン受信機。
【発明の詳細な説明】
【技術分野】
【０００１】
本発明は、携帯電話又はスマートフォン等の画面を表示装置に表示させるプログラム、表示装置及びテレビジョン受信機に関する。
【背景技術】
【０００２】
携帯電話又はスマートフォン等の通信を行う通信装置において表示される画像を、より大きな画面で視たい場合がある。特許文献１には、テレビジョン受信機と通信装置とを接続し、通信装置の表示画像データをテレビジョン受信機に送信して、テレビジョン受信機の表示画面に表示する表示装置が記載されている。
【先行技術文献】
【特許文献】
【０００３】
【特許文献１】特開２０１２−４８０２７号公報
【発明の概要】
【発明が解決しようとする課題】
【０００４】
しかし、特許文献１に記載の表示装置では、通信装置とテレビジョン受信機とが接続された場合に、自動的に通信装置の画面とテレビジョン放送の画面との２画面で表示される。従って、１画面での表示を望む視聴者にとっては、意に沿わない画面表示になりうるという問題があった。
【０００５】
本発明は斯かる問題に基づいてなされたものであり、視る者の意に沿った画面数の表示を行うことを目的とするプログラム、表示装置及びテレビジョン受信機を提供する。
【課題を解決するための手段】
【０００６】
本発明に係るプログラムは、複数の画素からなる矩形の画像を表示部に表示させる処理をコンピュータに実行させるためのプログラムにおいて、前記画像の一辺方向及び該一方向と直角をなす他辺方向の画素数を示す情報に従って、前記画像から前記画像の一部を切り出し、前記一辺方向及び他辺方向の画素数の多少を判定し、判定した結果、前記一辺方向の画素数が多い場合には、切り出した画像と他の画像とを並置した２画面を前記表示部に表示させ、前記他辺方向の画素数が多い場合には、前記表示部に表示する画面の数を指定する信号を受け付け、受け付けた該信号に従い、切り出した画像と他の画像とを並置した２画面、又は切り出した画像の１画面を前記表示部に表示させる処理をコンピュータに実行させることを特徴とする。
【０００７】
本発明に係るプログラムは、２画面で表示を行う場合に、画面の入替を指示する入替信号を受け付け、受け付けた該入替信号に従い、前記切り出した画像と他の画像との表示位置を入れ替える処理をコンピュータに実行させることを特徴とする。
【０００８】
本発明に係る表示装置は、複数の画素からなり、縦横方向が定められた矩形の画像を表示部に表示させる表示装置において、一辺方向及び該一方向と直角をなす他辺方向の画素数を示す情報に従って、前記画像から前記画像の一部を切り出す画像処理部と、前記一辺方向及び他辺方向の画素数の多少を判定する判定部と、前記表示部に表示する画面の数を指定する信号を受信する受信部と、前記判定部が判定した結果、前記一辺方向の画素数が多い場合には、前記画像処理部が切り出した画像と他の画像とを並置した２画面を前記表示部に表示させ、前記他辺方向の画素数が多い場合には、前記受信部が受け付けた前記信号に従い、前記画像処理部が切り出した画像と他の画像とを並置した２画面、又は前記画像処理部が切り出した画像の１画面を前記表示部に表示させる表示決定部とを備えることを特徴とする。
【０００９】
本発明に係るテレビジョン受信機は、上述の表示装置と、テレビジョン放送を受信するチューナとを備え、該チューナにて受信したテレビジョン放送に基づいた前記他の画像を、前記表示部に表示するようにしてあることを特徴とする。
【発明の効果】
【００１０】
本発明によれば、表示部に表示する画面の数を指定する信号を受け付け、受け付けた信号に従って、表示画面を設定するので、画面を視る者の意に沿った画面数を表示することができる。
【図面の簡単な説明】
【００１１】
【図１】実施の形態の概要を示す説明図である。
【図２】通信装置の構成を示すブロック図である。
【図３】画素情報の説明図である。
【図４】テレビジョン受信機の構成を示すブロック図である。
【図５】画面表示の模式図である。
【図６】画面表示の別の例を示す模式図である。
【図７】ＣＰＵの動作処理を示すフローチャートである。
【図８】ＣＰＵの動作処理を示すフローチャートである。
【図９】２画面の大きさについての説明図である。
【図１０】ＣＰＵの動作処理を示すフローチャートである。
【図１１】ＣＰＵの動作処理を示すフローチャートである。
【図１２】ＣＰＵの動作処理を示すフローチャートである。
【発明を実施するための形態】
【００１２】
第１の実施の形態
図１は実施の形態の概要を示す説明図である。通信装置１はテレビジョン受信機２とケーブル３を介して接続されている。通信装置１は、携帯電話機、スマートフォン、ＰＤＡ（Personal Digital Assistance）、ゲーム機又はノートブック型のパーソナルコンピュータ等である。ケーブル３は通信ケーブルである。通信装置１は、作成した画像情報を、ケーブル３を介してテレビジョン受信機２に送信する。テレビジョン受信機は、画像情報に基づく画像を画素情報に基づいて切り出して表示する。
【００１３】
図２は通信装置１の構成を示すブロック図である。通信装置１は入力部１１と、表示部１２と、ＣＰＵ（Central Processing Unit）１３と、ＲＡＭ（Random Access Memory）１４と、記憶部１５と、姿勢検知部１６と、通信部１７とを備える。ＣＰＵ１３は、判定部１３１と、演算部１３２と、通信装置制御部１３３とを備える。ＣＰＵ１３は、バスを介してハードウェア各部と接続されている。
【００１４】
通信装置１の構成を説明する。入力部１１は、ボタン又はタッチパネル等であり、ＣＰＵ１３に動作の指示を行う指示信号を出力する。表示部１２は、液晶ディスプレイ、プラズマディスプレイ又は有機ＥＬ（electro luminescence）等のディスプレイであり、矩形状をなし、画像を表示する。
【００１５】
姿勢検知部１６は、例えば３軸加速度センサであり、通信装置１の姿勢を検知し、自身の姿勢を示す姿勢信号をＣＰＵ１３に出力する。即ち、姿勢検知部１６は、通信装置１の姿勢が縦向きになっている場合は、縦向きであることを示す姿勢信号をＣＰＵ１３に出力する。一方、姿勢検知部１６は、通信装置１の姿勢が横向きになっている場合は、横向きであることを示す姿勢信号をＣＰＵ１３に出力する。以下では、表示部１２の長辺が鉛直方向を向いている場合を縦向き、長辺が水平方向を向いている場合を横向きとする。なお、姿勢信号は、表示画面における周囲の４辺のうち、どの辺が上にあるかを示す信号であってもよい。
【００１６】
ＣＰＵ１３は、記憶部１５に記憶された制御プログラムを読み出し、実行することにより、ハードウェア各部を制御する。また、ＣＰＵ１３は、記憶部１５に対し情報の書込及び読出を行う。
【００１７】
ＣＰＵ１３の判定部１３１は、姿勢検知部１６から出力された姿勢信号を入力し、縦向きであることを示す信号であるか、横向きであることを示す信号であるかを判定する。
【００１８】
演算部１３２は、判定部１３１が姿勢信号は縦向きを示す信号であると判定した場合には、表示部１２の大きさに合わせた縦長の画像となるような画像情報を作成し、該画像情報を表示部１２に出力する。画像情報に基づく画像は、静止画であっても動画であってもよく、アプリの表示画面、メニュー画面等であってもよい。一方、判定部１３１が姿勢信号は横向きを示す信号であると判定した場合には、演算部１３２は、表示部１２の大きさに合わせた横長の画像となるような画像情報を作成し、該画像情報を表示部１２に出力する。なお、演算部１３２は、固定の姿勢信号に依存せずに、特定の向きになるよう画像を表示するように演算してもよい。
【００１９】
さらに、演算部１３２は、画素情報を作成する。画素情報には、縦方向及び横方向の画素数と、画像を切り出す基準となる画素の位置を示す切り出し位置との情報が含まれている。例えば、通信装置１を横向きにした状態で、写真、動画等、縦横の比率が固定した縦長の画像を表示する場合、表示部１２の両側部には、画像が表示されない。このような場合、画像のある領域だけを適切に切り出すことが望ましい。そこで、後述するＣＰＵ２３は、演算により作成された画素情報に基づいて、表示内容のある一部の領域だけを切り出す処理を行う。
【００２０】
図３は画素情報の説明図である。表示部１２の一辺方向及び該一辺方向と垂直な他辺方向の画素数を、夫々ｎ画素、ｍ画素とする（ｎ＞ｍ）。表示される画像が、縦横の比がｎ：ｍの縦長の画像である場合、通信装置１が縦向きのときは、表示部１２全体に画像が表示される。
【００２１】
一方、通信装置１が横向きのときについて説明する。このときは、ｎ：ｍの縦長の画像を相似縮小し、相似縮小した画像を表示部１２の中央に配置して、表示するよう、演算部１３２が演算を行う。
【００２２】
図３において、表示部１２のｘ行ｙ列の座標を（ｘ，ｙ）とし、左上の画素を（１，１）とする。ｎ：ｍの縦長の画像は、相似縮小し、縦方向ｍ画素、横方向ｎ2 ／ｍ画素の画像となる。斯かる画像を表示部１２の中央に配置する場合には、（ｎ／２−ｎ2 ／２ｍ＋１、１）を左上の頂点として、縦方向ｍ画素、横方向ｎ2 ／ｍ画素の画像とする。この（ｎ／２−ｎ2 ／２ｍ＋１、１）で示される位置が切り出し位置である。斯かる切り出し位置の情報に、切り出す画像の大きさを示す、縦方向ｍ画素、横方向ｎ2 ／ｍ画素という情報を加えた情報が画素情報である。演算部１３２は、このようにして、画素情報を演算によって作成する。
【００２３】
通信装置制御部１３３は、通信装置１が例えばテレビジョン受信機２等外部機器と接続した場合に、通信部１７を介して、表示部１２に表示される画像を示す画像情報と同じ画像情報を外部機器に送信する。従って、画像が表示されていない領域についての画像情報も外部機器に送信する。
【００２４】
ＲＡＭ１４は、例えばＳＲＡＭ（Static RAM）、ＤＲＡＭ（Dynamic RAM）又はフラッシュメモリ等である。また、ＲＡＭ１４には、ＣＰＵ１３による各種プログラムの実行時に発生する種々のデータが一時的に記憶される。
【００２５】
記憶部１５は、例えばＥＥＰＲＯＭ（Electrically Erasable Programmable ROM）、ＨＤＤ（Hard Disk Drive）又はフラッシュメモリ等である。記憶部１５には、ＣＰＵ１３が通信装置１のハードウェア各部を機能させるために必要なプログラムが記憶されている。また、記憶部１５には、画像情報に対応した画素情報も記憶される。
【００２６】
通信部１７は、ネットワークインタフェースであり、ケーブル３と接続している。通信部１７はＨＤＭＩ（登録商標）形式の他、ＭＨＬ（Mobile High-definition Link）（登録商標）、ｍｉｒａｃａｓｔ（登録商標）方式のインタフェースであってもよい。ケーブル３は、例えばＨＤＭＩ（登録商標）ケーブルであり、テレビジョン受信機２をはじめとする電子機器と接続することができ、所定の規格に則り情報の送受信を行う。なお、ケーブル３の代わりに、例えば無線ＬＡＮ（Local Area Network）を介して情報の送受信を行ってもよい。
【００２７】
図４は、テレビジョン受信機２の構成を示すブロック図である。テレビジョン受信機２は、入力部２１、表示部２２、ＣＰＵ２３、ＲＡＭ２４、記憶部２５、通信部２７、遠隔制御受信部２６、チューナ２８１、復調部２８２及び復号部２８３を備える。チューナ２８１には、テレビジョン受信機２の外部に設けられた放送波受信アンテナ４が接続されている。また、ＣＰＵ２３は、接続信号部２３１、判定部２３２、画像処理部２３３及び表示決定部２３４を備える。テレビジョン受信機２は、チューナ２８１にて受信したテレビジョン放送に基づいて、表示装置の表示部２２に映像を表示するようにしたものである。
【００２８】
チューナ２８１は、放送波受信アンテナ４からテレビジョン放送を受信する。テレビジョン放送は、各チャンネルの映像信号、音声信号の他、番組の題名、日時及び出演者等を示す番組情報等を表す番組情報信号等が、ＯＦＤＭ（Orthogonal Frequency Division Multiplexing）方式で変調された状態で含まれており、チューナ２８１は、その中から特定のチャンネルの信号を抽出する。チューナ２８１は、抽出した信号を復調部２８２に出力する。
【００２９】
復調部２８２は、抽出された信号をＭＰＥＧ（Moving Picture Experts Group）−２ＴＳ（Transport Stream）又はＭＰＥＧ４等のストリームデータに復調して復号部２８３へ出力する。また、復調部２８２は、復調処理と併せてチャンネル毎に分離された信号に誤り訂正処理を行う。
【００３０】
復号部２８３は、入力したストリームデータを復号し、映像情報を分離する。復号部２８３は、映像データを液晶ディスプレイ、有機ＥＬ又はプラズマディスプレイ等である表示部２２に出力する。
【００３１】
通信部２７は、ネットワークインタフェースであり、ケーブル３と接続している。通信部２７はＨＤＭＩ（登録商標）形式の他、ＭＨＬ（Mobile High-definition Link）（登録商標）、ｍｉｒａｃａｓｔ（登録商標）方式のインタフェースであってもよい。ＣＰＵ１３とＣＰＵ２３とが各種の情報を送受信する際には、通信部１７、通信部２７及びケーブル３を介して信号の送受信が行われる。
【００３２】
入力部２１は例えばボタンであり、押下されることにより、電源のオンオフ、チャンネル設定等を指示する指示信号をＣＰＵ２３に出力する。表示部２２は、液晶ディスプレイ、プラズマディスプレイ又は有機ＥＬ（electro luminescence）等の矩形状のディスプレイであり、画像を表示する。表示部２２は横長になるよう配置されている。表示部２２は、表示部１２より多くの画素を表示することができる。
【００３３】
ＣＰＵ２３は、記憶部２５に記憶された制御プログラムを読み出し、実行することにより、ハードウェア各部を制御する。また、ＣＰＵ２３は、記憶部２５に対し情報の書込及び読出を行う。
【００３４】
ＣＰＵ２３の接続信号部２３１は、ケーブル３を介して、通信部１７と通信部２７とが接続した場合には、接続信号を、ＣＰＵ１３に送信する。判定部２３２は、画素情報を受け付けた場合に、画素情報における縦方向と横方向との画素数の多少を判定する。
【００３５】
画像処理部２３３は、画素情報に基づいて、画像情報に基づく画像を切り出す。即ち、画像情報に基づく画像を、切り出し位置（ｎ／２−ｎ2 ／２ｍ＋１、１）から、縦方向ｍ画素、横方向ｎ2 ／ｍ画素の範囲で切り出した画像を作成する。また、画像処理部２３３は、表示部２２の画素数に対応すべく、切り出した画像を拡大する処理を行う。
【００３６】
表示決定部２３４は、判定部２３２の判定結果に従い、画面数を設定する。即ち、判定部２３２が、縦方向の画素数が多いと判定した場合は、表示決定部２３４は、第１画面を左側、第２画面を右側とし、２画面を左右に並置して表示するよう設定する。第１画面は、テレビジョン放送に基づく画像を示す画面である。また、第２画面は、切り出した画像を拡大した画像を示す画面である。表示決定部２３４は、表示部２２に第１画面及び第２画面の２画面を並置して表示する。ここで、表示部２２に第１画面が表示されている場合は、表示決定部２３４は上述した画面に設定する。
【００３７】
一方、判定部２３２が、縦方向の画素数が多くないと判定した場合は、表示決定部２３４は、第２画面を表示するよう設定し、表示部２２に第２画面のみの１画面を表示する。表示部２２に第１画面を表示している場合には、表示決定部２３４は、第１画面から第２画面に切り替えて、表示部１２に表示する。
【００３８】
図５は、画面表示の模式図である。表示部１２に第１画面が表示されている場合に、判定部２３２が縦方向の画素数が多いと判定した場合は、表示決定部２３４は、表示部２２に第１画面及び第２画面の２画面を並置して表示する。判定部２３２が縦方向の画素数が多くないと判定した場合は、表示決定部２３４は、第２画面を表示する。
【００３９】
図６は、画面表示の別の例を示す模式図である。判定部２３２が縦方向の画素数が多くないと判定した場合に、表示決定部２３４は、第１画面と第２画面とを並置して表示するようにしてもよい。
【００４０】
ＲＡＭ２４は、例えばＳＲＡＭ（Static RAM）、ＤＲＡＭ（Dynamic RAM）又はフラッシュメモリ等である。また、ＲＡＭ２４は、ＣＰＵ２３による各種プログラムの実行時に発生する種々のデータを一時的に記憶する。
【００４１】
記憶部２５は、例えばＥＥＰＲＯＭ（Electrically Erasable Programmable ROM）、ＨＤＤ（Hard Disk Drive）又はフラッシュメモリ等である。記憶部２５には、ＣＰＵ２３がテレビジョン受信機２のハードウェア各部を機能させるために必要なプログラムが記憶されている。また、記憶部２５には、送信された画像情報及び該画像情報に対応した画素情報が記憶される。
【００４２】
遠隔制御受信部２６は、例えばフォトセンサであり、赤外線通信による信号を受信する。遠隔制御受信部２６は、無線ＬＡＮ規格により定められた無線通信の受信装置等であってもよい。遠隔制御受信部２６は、テレビジョン受信機２外部の装置である遠隔制御装置５から受信した制御信号を、ＣＰＵ２３に出力する。制御信号は、チャンネルの設定、画質の調整等を指示する信号である。ＣＰＵ２３は入力した制御信号に基づいて制御を行う。
【００４３】
さらに、テレビジョン受信機２は、録画機器又はインターネット回線等外部から映像信号を入力するための外部入力端子を備えていてもよい。この場合、第１画面は、斯かる外部入力端子から入力した情報に基づく画像を表示する画面であってもよい。
【００４４】
通信装置１の動作について説明する。通信装置１の姿勢検知部１６は、姿勢を検知し、検知した姿勢を示す姿勢信号を判定部１３１に出力する。判定部１３１は姿勢信号を入力し、姿勢を判定する。演算部１３２は、判定部１３１の判定結果に基づいて、画像情報を作成する。通信装置制御部１３３は、演算部１３２が作成した画像情報を表示部１２に出力する。表示部１２は入力した画像情報に基づく画像を表示する。
【００４５】
一方、通信部１７と通信部２７とがケーブル３を介して接続された場合、ＣＰＵ１３は、接続信号部２３１から送信されたことを示す接続信号を受け付ける。通信装置制御部１３３は、接続信号を受け付けることにより、画素情報と画像情報とをＣＰＵ２３に送信する。
【００４６】
テレビジョン受信機２の動作について説明する。テレビジョン受信機２のＣＰＵ２３の判定部２３２は、通信部２７が通信部１７と接続している場合に、ＣＰＵ１３から送信された画素情報と画像情報とを受け付ける。判定部２３２は、画素情報の縦方向の画素数が横方向の画素数より多いか否かを判定する。
【００４７】
表示決定部２３４は、判定部２３２の判定結果に従い、表示する画面を設定する。即ち、判定部２３２が、縦方向の画素数が多いと判定した場合は、表示決定部２３４は、表示部２２に第１画面及び第２画面の２画面を並置して表示するよう設定する。一方、判定部２３２が、縦方向の画素数が多くないと判定した場合は、表示決定部２３４は、第２画面を表示するよう設定する。表示決定部２３４は、設定に従って表示部１２に画面を表示する。
【００４８】
続いて、ＣＰＵ１３が行う動作処理について説明する。図７はＣＰＵ１３の動作処理を示すフローチャートである。ＣＰＵ１３は、姿勢検知部１６から姿勢信号を入力し（Ｓ１０１）、該姿勢信号に応じた画像情報と画素情報を作成する（Ｓ１０２）。また、画素情報を記憶部１５に記憶する（Ｓ１０３）。ＣＰＵ１３は作成した画像情報に基づく画像を表示部１２に表示する（Ｓ１０４）。
【００４９】
一方、ＣＰＵ１３は接続信号を受け付けたか否かを判定する（Ｓ１０５）。受け付けていない場合（Ｓ１０５でＮＯ）、ＣＰＵ１３は再度姿勢信号を受け付ける（Ｓ１０１に戻す）。接続信号を受け付けた場合（Ｓ１０５でＹＥＳ）、ＣＰＵ１３は、記憶部１５から画素情報を読み出す（Ｓ１０６）。ＣＰＵ１３は、読み出した画素情報と作成した画像情報とを、ＣＰＵ２３に送信し（Ｓ１０７）、処理を終了する。
【００５０】
一方、ＣＰＵ２３が行う動作処理について説明する。図８はＣＰＵ２３の動作処理を示すフローチャートである。ＣＰＵ２３は、通信部１７と通信部２７とが接続されたか否かを判定する（Ｓ１２１）。接続されていないと判定した場合（Ｓ１２１でＮＯ）、ＣＰＵ１３は待機を続ける（Ｓ１２１に戻す）。接続されていると判定した場合（Ｓ１２１でＹＥＳ）、ＣＰＵ２３は、ＣＰＵ１３から送信された画素情報と画像情報とを受け付ける（Ｓ１２２）。また、ＣＰＵ２３は、画素情報に基づいて、画像情報に基づく画像を切り出す（Ｓ１２３）。ＣＰＵ２３は、画素情報の縦方向の画素数が、横方向の画素数より多いか否かを判定する（Ｓ１２４）。ＣＰＵ２３は、判定した結果、縦方向の画素数が多い場合は（Ｓ１２４でＹＥＳ）、表示部に第１画面と第２画面との２画面を並置して表示するよう設定する。（Ｓ１２５）。
【００５１】
一方、判定した結果、縦方向の画素数が多くない場合は（Ｓ１２４でＮＯ）、ＣＰＵ２３は、第２画面を表示するよう設定する（Ｓ１２６）。ＣＰＵ２３は画像情報によって表示される画像を表示部２２に合わせて拡大する処理を行い（Ｓ１２７）、表示部１２に設定した画面を表示して（Ｓ１２８）、処理を終了する。
【００５２】
本実施の形態によれば、前記画素情報における一辺方向の画素数及び前記直角をなす方向の画素数の多少を判定し、判定結果に基づいて、画素数の多い方向を垂直方向又は水平方向として、切り出した画像を表示部１２に表示する。これにより、表示部１２の表示画面を有効に活用することができる。
【００５３】
第２の実施の形態
第２の実施の形態について説明する。本実施の形態は、２画面表示を行う場合に、第２画面の大きさに応じて第１画面の大きさを設定する。
【００５４】
表示画面の大きさを第１画面に合わせて設定する処理について説明する。画像処理部２３３は、第１の実施の形態と同様の処理を行い、画素情報に基づいて、画像情報を切り出し、相似拡大する処理を行う。ここで、画像処理部２３３は、切り出した画像の垂直方向の画素数を、表示部２２の垂直方向の画素数と一致するよう拡大する。
【００５５】
一方、表示決定部２３４は、第１画面の水平方向の画素数を、表示部２２の水平方向の画素数から、第２画面の水平方向の画素数を引いた画素数に設定する。表示決定部２３４は、第１画面の垂直方向の画素数を、表示部２２の垂直方向と水平方向との画素数と比率が第１画面の比率と等しくなるよう設定する。
【００５６】
表示決定部２３４が表示画面を設定する処理について、具体的に説明する。図９は２画面の大きさについての説明図である。表示部２２の画素数が垂直方向ｅ画素水平方向ｆ画素であり、画素情報に基づいてＣＰＵ２３が切り出した画像が、縦方向ｃ画素横方向ｄ画素であるとする。表示決定部２３４は、垂直方向ｅ画素水平方向ｄｅ／ｃ画素とした第２画面を、表示部２２の右側に表示するように設定する。ここで、画像処理部２３３は、切り出した画像を、縦方向ｅ画素横方向ｄｅ／ｃ画素の画像にする処理を行う。
【００５７】
一方、表示決定部２３４は、第１画面の水平方向の画素数を、ｆ画素からｄｅ／ｃ画素を引いたｆ−ｄｅ／ｃ画素に設定する。第１画面の垂直方向と水平方向の画素数の比は、表示部２２と同じくｅ：ｆである。従って、表示決定部２３４は、第１画面の垂直方向の画素数を、水平方向の画素数をｅ／ｆ倍し、ｅ―ｄｅ2 ／ｃｆ画素に設定する。
【００５８】
例えば、切り出した画像が縦方向４８０画素横方向３２０画素であり、表示部２２が垂直方向１０８０画素水平方向１９２０画素であるとする。そうすると画像処理部２３３は、切り出した画像の縦方向を１０８０／４８０＝９／４倍する処理を行う。横方向３２０×９／４＝７２０画素とする。従って表示決定部２３４は、垂直方向１０８０画素水平方向７２０画素とした第２画面を、表示部２２の右側に表示するように設定する。一方、表示決定部２３４は、第１画面を、水平方向が１９２０−７２０＝１２００画素、垂直方向が１２００×９／１６＝６７５画素と設定し、表示部１２の左側に表示するように設定する。
【００５９】
なお、２画面を見易くするために、第１画面と第２画面との間に水平方向に一定画素数の幅を持つ、画像が表示されない領域を設けてもよい。
【００６０】
図１０はＣＰＵ２３の動作処理を示すフローチャートである。ＣＰＵ２３は、通信部１７と通信部２７とが接続されたか否かを判定する（Ｓ２２１）。接続されていないと判定した場合（Ｓ２２１でＮＯ）、ＣＰＵ１３は待機を続ける（Ｓ２２１に戻す）。接続されていると判定した場合（Ｓ２２１でＹＥＳ）、ＣＰＵ２３は、ＣＰＵ１３から送信された画素情報と画像情報とを受け付ける（Ｓ２２２）。また、ＣＰＵ２３は、画素情報に基づいて、画像情報に基づく画像を切り出す（Ｓ２２３）。ＣＰＵ２３は、画素情報の縦方向の画素数が、横方向の画素数より多いか否かを判定する（Ｓ２２４）。ＣＰＵ２３は、判定した結果、縦方向の画素数が多い場合は（Ｓ２２４でＹＥＳ）、ＣＰＵ２３は、第１画面及び第２画面の大きさを設定する演算を行う（Ｓ２２５）。ＣＰＵ２３は、表示部に、設定した大きさの第１画面と第２画面との２画面を並置して表示するよう設定し（Ｓ２２６）、後述するＳ２２８以降に処理をすすめる。
【００６１】
一方、判定した結果、縦方向の画素数が多くない場合は（Ｓ２２４でＮＯ）、第２画面のみの１画面を表示するよう設定する（Ｓ２２７）。ＣＰＵ２３は画像情報によって表示される画像を表示部２２に合わせて拡大する処理を行い（Ｓ２２８）、画像を表示して（Ｓ２２９）、処理を終了する。
【００６２】
本実施の形態によれば、表示部２２が２画面を表示する場合に、一の画像の大きさに従って、他の画像の大きさを設定するので、表示部２２を有効に活用することができる。
【００６３】
第３の実施の形態
第３の実施の形態について説明する。本実施の形態では、表示部２２の画面表示を、１画面表示にするか２画面表示にするかを、任意に切り替え可能にする。
【００６４】
通信部１７と通信部２７とがケーブル３を介して接続されている場合、まず、通信装置１が、画面数を指定する指定信号を送信する。例えば表示部２２が第１画面の１画面を表示している場合に、通信装置１が画面数を２画面に指定する指定信号を送信する。この場合、通信装置１は、指定信号が通信装置１の姿勢検知部１６が検知した姿勢に基づいて、姿勢が横向きであるときは、第１画面の１画面を表示し、縦向きであるときは、第１画面と第２画面との２画面を表示するような指定信号を送信するようにしてもよい。
【００６５】
また、指定信号は、遠隔制御装置５から送信され、遠隔制御受信部２６を介してＣＰＵ２３が受信するようにしてもよい。その他、指定信号は、１画面表示と２画面表示とを切り替えることを指示する信号であってもよい。
【００６６】
指定信号は、ＣＰＵ１３から送信され、通信部１７、２７及びケーブル３を介してＣＰＵ２３が受け付ける。このとき、ＣＰＵ２３は指定信号に従い、表示部１２が、第１画面と第２画面との２画面を表示するよう切り替える処理を行う。
【００６７】
一方、表示部２２が第１画面と第２画面との２画面を表示している場合に、通信装置１が画面数を１画面に指定する指定信号を送信する。送信された指定信号は、ＣＰＵ２３が受け付ける。このとき、ＣＰＵ２３は指定信号１２に従い、表示部１２が第２画面の１画面を表示するよう切り替える処理を行う。
【００６８】
図１１はＣＰＵ２３の動作処理を示すフローチャートである。ＣＰＵ２３は、指定信号を受け付けたか否かを判定する（Ｓ３２１）。指定信号を受け付けていない場合は（Ｓ３２１でＮＯ）、待機を続ける（Ｓ３２１に戻す）。指定信号を受け付けた場合は（Ｓ３２１でＹＥＳ）、ＣＰＵ２３は、受け付けた時点における表示部２２に表示されている画面数と、指定信号で指定された画面数とが一致するか否かを判定する（Ｓ３２２）。両者が一致する場合には（Ｓ３２２でＹＥＳ）、ＣＰＵ２３は、画面数を維持したまま、処理を終了する。一致しない場合は（Ｓ３２２でＮＯ）、ＣＰＵ２３は、表示部２２が表示する画面数を切り替えて（Ｓ３２３）、処理を終了する。
【００６９】
本実施の形態によれば、表示部２２が表示する画面を１画面にするか、２画面にするかを指定することができるので、視聴者が所望する画面を表示することができる。
【００７０】
第４の実施の形態
第４の実施の形態について説明する。本実施の形態は画面表示が２画面の表示の場合に、左右の画面を入れ替えることができる。
【００７１】
表示部２２に、第１画面が左側、第２画面が右側になるよう、左右に並置して２画面が表示されている場合に、遠隔制御装置５が左右の画面の入れ替えを指示する入替信号を送信する。入替信号は、遠隔制御受信部２６を介してＣＰＵ２３が受け付ける。ＣＰＵ２３は入替信号１２に従い、第１画面を右側、第２画面を左側にする処理を行う。
【００７２】
なお、指定信号は、通信装置１から送信され、ＣＰＵ２３が受信するような構成であってもよい。
【００７３】
図１２はＣＰＵ２３の動作処理を示すフローチャートである。ＣＰＵ２３は、入替信号を受け付けたか否かを判定する（Ｓ４２１）。入替信号を受け付けていない場合は（Ｓ４２１でＮＯ）、待機を続ける（Ｓ４２１に戻す）。入替信号を受け付けた場合は（Ｓ４２１でＹＥＳ）、ＣＰＵ２３は、２画面の配置を入れ替えて（Ｓ４２２）、処理を終了する。
【００７４】
本実施の形態によれば、表示部２２が２画面表示を行っている場合に、並置された画面を入れ替える指定することができるので、視聴者が所望する画面を表示することができる。
【００７５】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。また、各実施の形態に記載されている技術的特徴は、相互に組合せ可能であり、組み合わせることにより、新しい技術的特徴を形成することができる。
【符号の説明】
【００７６】
１  通信装置
１１  入力部
１２  表示部
１３  ＣＰＵ
１３１  判定部
１３２  演算部
１３３  通信装置制御部
１４  ＲＡＭ
１５  記憶部
１６  姿勢検知部
１７  通信部
２  テレビジョン受信機
２１  入力部
２２  表示部
２３  ＣＰＵ
２３１  接続信号部
２３２  判定部
２３３  画像処理部
２３４  表示決定部
２４  ＲＡＭ
２５  記憶部
２６  遠隔制御受信部
２７  通信部
２８１  チューナ
２８２  復調部
２８３  復号部
３  ケーブル
４  放送波受信アンテナ
５  遠隔制御装置
【図１】
2014071163.tif 000003
【図２】
2014071163.tif 000004
【図３】
2014071163.tif 000005
【図４】
2014071163.tif 000006
【図５】
2014071163.tif 000007
【図６】
2014071163.tif 000008
【図７】
2014071163.tif 000009
【図８】
2014071163.tif 000010
【図９】
2014071163.tif 000011
【図１０】
2014071163.tif 000012
【図１１】
2014071163.tif 000013
【図１２】
2014071163.tif 000014
【手続補正書】
【提出日】平成25年10月21日(2013.10.21)
【手続補正１】
【補正対象書類名】明細書
【補正対象項目名】０００６
【補正方法】変更
【補正の内容】
【０００６】
本発明に係るプログラムは、複数の画素からなる矩形の元画像に基づく表示画像を横長の表示部に表示させる処理をコンピュータに実行させるためのプログラムにおいて、縦方向及び横方向を定める信号と前記元画像の一辺方向及び該一辺方向に垂直な他辺方向の画素数を示す情報とに従って、前記元画像から前記一辺方向に平行な縦辺、及び前記他辺方向に平行な横辺を有する矩形の表示画像を切り出し、該表示画像における前記縦方向及び横方向の画素数の多少を判定し、判定した結果、縦方向の画素数が多い場合には、前記表示画像と他の画像とを並置した２画面を前記表示部に表示させ、横方向の画素数が多い場合には、前記表示部に表示する画面の数を指定する信号を受け付け、受け付けた該信号に従い、前記表示画像と他の画像とを並置した２画面、又は前記表示画像の１画面を前記表示部に表示させる処理をコンピュータに実行させることを特徴とする。
【手続補正２】
【補正対象書類名】明細書
【補正対象項目名】０００８
【補正方法】変更
【補正の内容】
【０００８】
本発明に係る表示装置は、複数の画素からなる矩形の元画像に基づく表示画像を横長の表示部に表示させる表示装置において、縦方向及び横方向を定める信号と前記元画像の一辺方向及び該一辺方向に垂直な他辺方向の画素数を示す情報とに従って、前記元画像から前記一辺方向に平行な縦辺、及び前記他辺方向に平行な横辺を有する矩形の表示画像を切り出す画像処理部と、該表示画像における前記縦方向及び横方向の画素数の多少を判定する判定部と、前記表示部に表示する画面の数を指定する信号を受信する受信部と、前記判定部が判定した結果、縦方向の画素数が多い場合には、前記表示画像と他の画像とを並置した２画面を前記表示部に表示させ、横方向の画素数が多い場合には、前記受信部が受け付けた該信号に従い、前記表示画像と他の画像とを並置した２画面、又は前記表示画像の１画面を前記表示部に表示させる表示決定部とを備えることを特徴とする。
【手続補正３】
【補正対象書類名】特許請求の範囲
【補正対象項目名】請求項１
【補正方法】変更
【補正の内容】
【請求項１】
複数の画素からなる矩形の元画像に基づく表示画像を横長の表示部に表示させる処理をコンピュータに実行させるためのプログラムにおいて、
縦方向及び横方向を定める信号と前記元画像の一辺方向及び該一辺方向に垂直な他辺方向の画素数を示す情報とに従って、前記元画像から前記一辺方向に平行な縦辺、及び前記他辺方向に平行な横辺を有する矩形の表示画像を切り出し、
該表示画像における前記縦方向及び横方向の画素数の多少を判定し、
判定した結果、縦方向の画素数が多い場合には、前記表示画像と他の画像とを並置した２画面を前記表示部に表示させ、
横方向の画素数が多い場合には、前記表示部に表示する画面の数を指定する信号を受け付け、受け付けた該信号に従い、前記表示画像と他の画像とを並置した２画面、又は前記表示画像の１画面を前記表示部に表示させる
処理をコンピュータに実行させることを特徴とするプログラム。
【手続補正４】
【補正対象書類名】特許請求の範囲
【補正対象項目名】請求項３
【補正方法】変更
【補正の内容】
【請求項３】
複数の画素からなる矩形の元画像に基づく表示画像を横長の表示部に表示させる表示装置において、
縦方向及び横方向を定める信号と前記元画像の一辺方向及び該一辺方向に垂直な他辺方向の画素数を示す情報とに従って、前記元画像から前記一辺方向に平行な縦辺、及び前記他辺方向に平行な横辺を有する矩形の表示画像を切り出す画像処理部と、
該表示画像における前記縦方向及び横方向の画素数の多少を判定する判定部と、
前記表示部に表示する画面の数を指定する信号を受信する受信部と、
前記判定部が判定した結果、縦方向の画素数が多い場合には、前記表示画像と他の画像とを並置した２画面を前記表示部に表示させ、横方向の画素数が多い場合には、前記受信部が受け付けた該信号に従い、前記表示画像と他の画像とを並置した２画面、又は前記表示画像の１画面を前記表示部に表示させる表示決定部と
を備えることを特徴とする表示装置。